(57)【特許請求の範囲】
【請求項１】
チャネル状態情報基準信号リソースの第１のセットを、複数の送信ポイントの各々に割り当てると共に、チャネル状態情報基準信号リソースの第２のセットを、前記複数の送信ポイントの各々に割り当てること、ただし前記第１のセットは前記第２のセットに等しいか小さい、前記割り当てることと；
前記チャネル状態情報基準信号リソースの前記第１のセット及び前記第２のセットの少なくともいずれかを記述する情報をユーザ機器に伝達することと；
前記ユーザ機器からチャネル状態情報レポートを受信することであって、前記チャネル状態情報レポートは、前記チャネル状態情報基準信号リソースの前記第１のセット及び前記第２のセットの少なくともいずれかを使用して、前記送信ポイントの少なくともいずれかについて、前記ユーザ機器でなされた測定を記述する情報を含む、前記受信することと；
前記チャネル状態情報基準信号リソースの前記第２のセットを用いて測定を行うことを前記ユーザ機器に開始させることと；
を含み、ここで前記チャネル状態情報基準信号リソースの前記第２のセットを用いて行われる前記測定は、前記チャネル状態情報基準信号リソースの前記第１のセットを用いて行われる測定に比べてより粗い粒度を有する単純化された測定である、
方法。
【請求項２】
前記チャネル状態情報基準信号リソースのセットのうち前記割り当てたものが、前記複数の送信ポイントによって、いずれかのサブキャリアの直交周波数分割多元シンボルで送信される、請求項１に記載の方法。
【請求項３】
前記チャネル状態情報基準信号リソースの前記第１のセットは、前記複数の送信ポイントにより共有される、少なくとも１つの共通チャネル状態情報基準信号リソースを含み、前記チャネル状態情報基準信号リソースの前記第２のセットは、各送信ポイントについて１つの固有チャネル状態情報基準信号リソースを含む、請求項１に記載の方法。
【請求項４】
送信中、前記複数の送信ポイントの各々は、前記第２のセットに含まれる前記チャネル状態情報基準信号リソースのうちの１つのみを送信する、請求項３に記載の方法。
【請求項５】
送信中、前記複数の送信ポイントの各々は、前記第１のセットのチャネル状態情報基準信号リソースと、前記第２のセットに含まれる前記チャネル状態情報基準信号リソースのうちの１つを送信する、請求項３に記載の方法。
【請求項６】
前記チャネル状態情報基準信号リソースの前記第１のセット及び前記第２のセットの少なくともいずれかを記述する情報を伝達するステップは、いずれかのチャネル状態情報基準信号リソースに対応するミュートパターンも伝達する、請求項１に記載の方法。
【請求項７】
前記チャネル状態情報基準信号リソースの前記第２のセットを使う測定に基づいて前記ユーザ機器からチャネル状態情報レポートを受信することは、前記チャネル状態情報基準信号リソースの前記第１のセットを使う測定に基づいて前記ユーザ機器からチャネル状態情報レポートを受信することに比べて、生じる頻度が少ない、請求項１に記載の方法。
【請求項８】
前記チャネル状態情報基準信号リソースの前記第２のセットを記述する情報を伝達することは、ビットマップの形で行われる、請求項１に記載の方法。
【請求項９】
前記複数の送信ポイントの各々は、マクロセル送信機により確立された１つのマクロセル内に位置する、請求項１から８のいずれかに記載の方法。
【請求項１０】
多地点協調（ＣｏＭＰ）無線通信システムにおける進化型ノードＢによって実行される、請求項１から８のいずれかに記載の方法であって、前記受信したチャネル状態情報レポートを、前記ユーザ機器のためにＣｏＭＰ送信フォーマットを定めるためか、該ユーザ機器のためにスケジューリングの決定を行うためかの少なくともいずれかに使用することを更に含む、方法。
【請求項１１】
少なくとも一つのデータプロセッサと、コンピュータプログラムコードを含む少なくとも一つのメモリとを備える装置であって、前記コンピュータプログラムコードは、前記少なくとも一つのプロセッサに実行されると、前記装置に少なくとも：
チャネル状態情報基準信号リソースの第１のセットを、複数の送信ポイントの各々に割り当てると共に、チャネル状態情報基準信号リソースの第２のセットを、前記複数の送信ポイントの各々に割り当てること、ただし前記第１のセットは前記第２のセットに等しいか小さい、前記割り当てることと；
前記チャネル状態情報基準信号リソースの前記第１のセット及び前記第２のセットの少なくともいずれかを記述する情報をユーザ機器に伝達することと；前記ユーザ機器からチャネル状態情報レポートを受信することであって、前記チャネル状態情報レポートは、前記チャネル状態情報基準信号リソースの前記第１のセット及び前記第２のセットの少なくともいずれかを使用して、前記送信ポイントの少なくともいずれかについて、前記ユーザ機器でなされた測定を記述する情報を含む、前記受信することと；
前記チャネル状態情報基準信号リソースの前記第２のセットを用いて測定を行うことを前記ユーザ機器に開始させることと；
を行わせるように構成され、ここで前記チャネル状態情報基準信号リソースの前記第２のセットを用いて行われる前記測定は、前記チャネル状態情報基準信号リソースの前記第１のセットを用いて行われる測定に比べてより粗い粒度を有する単純化された測定である、
装置。
【請求項１２】
前記チャネル状態情報基準信号リソースのセットのうち前記割り当てたものが、前記複数の送信ポイントによって、いずれかのサブキャリアの直交周波数分割多元シンボルで送信される、請求項１１に記載の装置。
【請求項１３】
前記チャネル状態情報基準信号リソースの前記第１のセットは、前記複数の送信ポイントにより共有される、少なくとも１つの共通チャネル状態情報基準信号リソースを含み、前記チャネル状態情報基準信号リソースの前記第２のセットは、各送信ポイントについて１つの固有チャネル状態情報基準信号リソースを含む、請求項１１に記載の装置。
【請求項１４】
送信中、前記複数の送信ポイントの各々は、前記第２のセットに含まれる前記チャネル状態情報基準信号リソースのうちの１つのみを送信する、請求項１３に記載の装置。
【請求項１５】
送信中、前記複数の送信ポイントの各々は、前記第１のセットのチャネル状態情報基準信号リソースと、前記第２のセットに含まれる前記チャネル状態情報基準信号リソースのうちの１つを送信する、請求項１３に記載の装置。
【請求項１６】
前記チャネル状態情報基準信号リソースの前記第１のセット及び前記第２のセットの少なくともいずれかを記述する、前記伝達される情報は、いずれかのチャネル状態情報基準信号リソースに対応するミュートパターンも伝達する、請求項１１に記載の装置。
【請求項１７】
前記チャネル状態情報基準信号リソースの前記第２のセットを使う測定に基づいて前記ユーザ機器からチャネル状態情報レポートを受信することは、前記チャネル状態情報基準信号リソースの前記第１のセットを使う測定に基づいて前記ユーザ機器からチャネル状態情報レポートを受信することに比べて、生じる頻度が少ない、請求項１１に記載の装置。
【請求項１８】
前記チャネル状態情報基準信号リソースの前記第２のセットを記述する情報を伝達することは、ビットマップの形で行われる、請求項１１に記載の装置。
【請求項１９】
前記複数の送信ポイントの各々は、マクロセル送信機により確立された１つのマクロセル内に位置する、請求項１１から１８のいずれかに記載の装置。
【請求項２０】
多地点協調（ＣｏＭＰ）無線通信システムにおける進化型ノードＢとして具現化される、請求項１１から１８のいずれかに記載の装置であって、前記受信したチャネル状態情報レポートを、前記ユーザ機器のためにＣｏＭＰ送信フォーマットを定めるためか、該ユーザ機器のためにスケジューリングの決定を行うためかの少なくともいずれかに使用する、装置。
【請求項２１】
複数の送信ポイントの各々に割り当てられた、チャネル状態情報基準信号リソースの第１のセット、および、前記複数の送信ポイントの各々に割り当てられた、チャネル状態情報基準信号リソースの第２のセットを記述するシグナリング情報を、ユーザ機器において受信すること、ただし前記第１のセットは前記第２のセットに等しいか小さい、前記受信することと；
前記チャネル状態情報基準信号リソースの前記第１のセット及び前記第２のセットの少なくともいずれかを用いて、前記複数の送信ポイントのうち少なくともいずれかについての測定を行うことと；
前記ユーザ機器からチャネル状態情報レポートを送信することと；
を含み、ここで前記チャネル状態情報レポートは、前記チャネル状態情報基準信号リソースの前記第１のセット及び前記第２のセットの少なくともいずれかを使用して、前記送信ポイントの少なくともいずれかについて、前記ユーザ機器でなされた前記測定を記述する情報を含み、前記チャネル状態情報基準信号リソースの前記第２のセットに対応するチャネル状態情報レポートを送信することは、前記チャネル状態情報基準信号リソースの前記第１のセットに対応するチャネル状態情報レポートに比べてより粗い粒度を有する単純化されたチャネル状態情報レポートを送信することである、
方法。
【請求項２２】
チャネル状態情報の測定を行うことは、チャネル品質を決定することを含む、請求項２１に記載の方法。
【請求項２３】
前記チャネル状態情報レポートを送信することは、レイヤ１のシグナリングか媒体アクセス制御手続かのいずれかを用いる、請求項２１に記載の方法。
【請求項２４】
前記チャネル状態情報レポートはビットマップからなる、請求項２１から２３のいずれかに記載の方法。
【請求項２５】
前記チャネル状態情報レポートは、選択されたチャネル状態情報基準信号リソース間の関係を示す、請求項２１から２３のいずれかに記載の方法。
【請求項２６】
前記チャネル状態情報基準信号リソースのセットのうち前記割り当てたものが、前記複数の送信ポイントから、いずれかのサブキャリアの直交周波数分割多元シンボルで受信される、請求項２１に記載の方法。
【請求項２７】
前記チャネル状態情報基準信号リソースの前記第１のセットは、前記複数の送信ポイントの少なくともいずれかにより共有される共通チャネル状態情報基準信号リソースを含み、前記チャネル状態情報基準信号リソースの前記第２のセットは、各送信ポイントについて１つの固有チャネル状態情報基準信号リソースを含む、請求項２１に記載の方法。
【請求項２８】
前記ユーザ機器は、１つの送信ポイントからは、前記第２のセットに含まれる前記チャネル状態情報基準信号リソースのうちの１つのみを受信する、請求項２７に記載の方法。
【請求項２９】
前記ユーザ機器は、１つの送信ポイントから、前記第１のセットのチャネル状態情報基準信号リソースと、前記第２のセットに含まれる前記チャネル状態情報基準信号リソースのうちの１つとを受信する、請求項２７に記載の方法。
【請求項３０】
いずれかのチャネル状態情報基準信号リソースに対応するミュートパターンを受信することを含む、請求項２１に記載の方法。
【請求項３１】
前記チャネル状態情報基準信号リソースの前記第２のセットを使う測定に基づいてチャネル状態情報レポートを送信することは、前記チャネル状態情報基準信号リソースの前記第１のセットを使う測定に基づいてチャネル状態情報レポートを送信することに比べて、生じる頻度が少ない、請求項２１に記載の方法。
【請求項３２】
少なくとも一つのデータプロセッサと、コンピュータプログラムコードを含む少なくとも一つのメモリとを備える装置であって、前記コンピュータプログラムコードは、前記少なくとも一つのプロセッサに実行されると、前記装置に少なくとも：
複数の送信ポイントの各々に割り当てられた、チャネル状態情報基準信号リソースの第１のセット、および、前記複数の送信ポイントの各々に割り当てられた、チャネル状態情報基準信号リソースの第２のセットを記述するシグナリング情報を、ユーザ機器において受信すること、ただし前記第１のセットは前記第２のセットに等しいか小さい、前記受信することと；
前記チャネル状態情報基準信号リソースの前記第１のセット及び前記第２のセットの少なくともいずれかを用いて、前記複数の送信ポイントのうち少なくともいずれかについての測定を行うことと；
前記ユーザ機器からチャネル状態情報レポートを送信することと；
を行わせるように構成され、ここで前記チャネル状態情報レポートは、前記チャネル状態情報基準信号リソースの前記第１のセット及び前記第２のセットの少なくともいずれかを使用して、前記送信ポイントの少なくともいずれかについて、前記ユーザ機器でなされた測定を記述する情報を含み、前記チャネル状態情報基準信号リソースの前記第２のセットに対応するチャネル状態情報レポートは、前記チャネル状態情報基準信号リソースの前記第１のセットに対応するチャネル状態情報レポートに比べてより粗い粒度を有する単純化されたチャネル状態情報レポートとして送信される、装置。
【請求項３３】
請求項３２に記載の装置であって：
前記チャネル状態情報基準信号リソースの前記第２のセットに対応するチャネル状態情報レポートを送信することを、前記チャネル状態情報基準信号リソースの前記第１のセットに対応するチャネル状態情報レポートを送信することよりも少ない頻度で行う；
装置。
【請求項３４】
前記チャネル状態情報基準信号リソースのセットのうち前記割り当てたものが、前記複数の送信ポイントから、いずれかのサブキャリアの直交周波数分割多元シンボルで受信される、請求項３２に記載の装置。
【請求項３５】
前記チャネル状態情報基準信号リソースの前記第１のセットは、前記複数の送信ポイントの少なくともいずれかにより共有される共通チャネル状態情報基準信号リソースを含み、前記チャネル状態情報基準信号リソースの前記第２のセットは、各送信ポイントについて１つの固有チャネル状態情報基準信号リソースを含む、請求項３２に記載の装置。
【請求項３６】
請求項３５に記載の装置であって：前記ユーザ機器は、１つの送信ポイントからは、前記第２のセットに含まれる前記チャネル状態情報基準信号リソースのうちの１つのみを受信するか、または前記ユーザ機器は、１つの送信ポイントから、前記第１のセットのチャネル状態情報基準信号リソースと、前記第２のセットに含まれる前記チャネル状態情報基準信号リソースのうちの１つとを受信する、装置。
【請求項３７】
いずれかのチャネル状態情報基準信号リソースに対応するミュートパターンを受信する、請求項３２に記載の装置。
【請求項３８】
前記複数の送信ポイントの各々は、マクロセル送信機により確立された１つのマクロセル内に位置する、請求項３２から３７のいずれかに記載の装置。
【請求項３９】
チャネル状態情報基準信号リソースの第１のセットを、複数の送信ポイントの各々に割り当てると共に、チャネル状態情報基準信号リソースの第２のセットを、前記複数の送信ポイントの各々に割り当てる手段、ただし前記第１のセットは前記第２のセットに等しいか小さい、前記割り当てる手段と；
前記チャネル状態情報基準信号リソースの前記第１のセット及び前記第２のセットの少なくともいずれかを記述する情報をユーザ機器に伝達する手段と；
前記ユーザ機器からチャネル状態情報レポートを受信する手段であって、前記チャネル状態情報レポートは、前記チャネル状態情報基準信号リソースの前記第１のセット及び前記第２のセットの少なくともいずれかを使用して、前記送信ポイントの少なくともいずれかについて、前記ユーザ機器でなされた測定を記述する情報を含む、前記受信する手段と；
前記チャネル状態情報基準信号リソースの前記第２のセットを用いて測定を行うことを前記ユーザ機器に開始させる手段と；
を備え、ここで前記チャネル状態情報基準信号リソースの前記第２のセットを用いて行われる前記測定は、前記チャネル状態情報基準信号リソースの前記第１のセットを用いて行われる測定に比べてより粗い粒度を有する単純化された測定である、装置。
【請求項４０】
複数の送信ポイントの各々に割り当てられた、チャネル状態情報基準信号リソースの第１のセット、および、前記複数の送信ポイントの各々に割り当てられた、チャネル状態情報基準信号リソースの第２のセットを記述するシグナリング情報を、ユーザ機器において受信する手段、ただし前記第１のセットは前記第２のセットに等しいか小さい、前記受信する手段と；
前記チャネル状態情報基準信号リソースの前記第１のセット及び前記第２のセットの少なくともいずれかを用いて、前記複数の送信ポイントのうち少なくともいずれかについての測定を行う手段と；
前記ユーザ機器からチャネル状態情報レポートを送信する手段と；
を備え、ここで前記チャネル状態情報レポートは、前記チャネル状態情報基準信号リソースの前記第１のセット及び前記第２のセットの少なくともいずれかを使用して、前記送信ポイントの少なくともいずれかについて、前記ユーザ機器でなされた測定を記述する情報を含み、前記チャネル状態情報基準信号リソースの前記第２のセットに対応するチャネル状態情報レポートを送信することは、前記チャネル状態情報基準信号リソースの前記第１のセットに対応するチャネル状態情報レポートに比べてより粗い粒度を有する単純化されたチャネル状態情報レポートを送信することである、装置。
【請求項４１】
装置の処理手段に実行されると、前記装置に、請求項１から１０および２１から３１のうちいずれか１項に記載の方法を遂行させるように構成されるコンピュータプログラムコードを備える、コンピュータプログラム。
【発明の詳細な説明】
【技術分野】
【０００１】
典型的であるが非限定的な本発明の実施形態は、一般的には無線通信に関するシステムや方法、デバイス、コンピュータプログラムに関し、より具体的には、多地点協調（coordinated multi-point；CoMP）技術に関する。イントラセルCoMP（intra-cell CoMP）にも関する。
【背景】
【０００２】
本節では、特許請求の範囲にて記載される本発明の背景や関連について説明する。本明細書は追求されうる概念を含むこともり、必ずしも既に着想・実装・記述されてきたものだけを含むわけではない。したがって、本願中で特段の指示がない限り、本節で記述される内容は、本願の明細書および特許請求の範囲に対する先行技術ではなく、本節で記述されていることのみをもって先行技術と認定してはならない。
【０００３】
本出願の明細書および／または添付の図面にて使用される略語の定義は次の通りである。
3GPP：  第3世代パートナーシッププロジェクト（third generation partnership project）
BS：  基地局（base station）
CQI：  チャネル品質指標（channel quality indicator）
CSI：  チャネル状態情報（channel state information）
CSI-RS：  チャネル状態情報基準信号（channel state information reference signal）
DL：  ダウンリンク（NBからUEに向かう方向)
eNB：  E-UTRANノードBまたは進化型ノードB（E-UTRAN Node B, evolved Node B）
EPC：  進化型パケットコア（evolved packet core）
E-UTRAN：  進化型UTRAN（LTE）（evolved UTRAN，LTE)
FDMA：  周波数分割多元アクセスfrequency division multiple access
HSPA：  高速パケットアクセス（high speed packet access）
IMTA：  国際移動通信協会（international mobile telecommunications association）
ITU-R：  国際電気通信連合無線通信部門（international telecommunication union radio communication sector）
LPN：  低出力ノード（low power node）
LTE：  UTRANのロング・ターム・エボリューション（E-UTRAN）
LTE-A：  LTE advanced（LTEアドバンスト）
MAC：  （レイヤ2（L2））媒体アクセス制御（medium access control）
MIMO：  MIMO（マイモ；multiple input multiple output）
MM/MME：  モビリティ管理／モビリティ管理エンティティ（mobility management/mobility management entity）
NodeB：  基地局（base station）
OFDMA：  直交周波数分割多元接続（orthogonal frequency division multiple access）
O&M：  オペレーション＆メンテナンス（operations and maintenance）
PDCP：  パケットデータ収束プロトコル（packet data convergence protocol）
PHY：  物理層（レイヤ1，L1）
PMI：  プリコード化マトリクス指標（precoding matrix indicator）
PDSCH：  物理下り共有チャネル（physical downlink shared channel）
PUSCH：  物理上り制御チャネル（physical uplink control channel）
PUSCH：  物理上り共有チャネル（physical uplink shared channel）
Rel：  解放（release）
RI：  ランク指標（rank indicator）
RLC：  無線リンク制御（radio link control）
RRC：  無線リソース制御（radio resource control）
RRH：  リモート無線ヘッド（remote radio head）
RRM：  無線リソース管理（radio resource management）
RS：  基準信号（reference signal）
RSRP：  基準信号受信電力（reference signal received power）
RSRQ：  基準信号受信品質（reference signal received quality）
SGW：  サービング・ゲートウェイ（serving gateway） 
SINR：  信号対干渉および雑音比（signal to interference plus noise ratio）
SRS：  サウンディング基準信号（sounding reference signal）
SC-FDMA：  シングルキャリア符号分割多元接続（single carrier, frequency division multiple access）
UE：  移動局や移動ノード、移動端末等のユーザ装置（user equipment）
UL：  アップリンク（UEからeNBへ向かう方向）
UPE：  ユーザプレーン・エンティティ（user plane entity）
UTRAN：  ユニバーサル地上無線アクセスネットワーク（universal terrestrial radio access network）。
【０００４】
現代の通信システムとして知られているものに、進化型UTRAN（E-UTRAN，UTRAN-LTEやE-UTRAとも称される）が存在する。このシステムにおいて、ダウンリンクアクセス技術はOFDMAであり、アップリンクアクセス技術はSC-FDMA.である。 
【０００５】
この技術について参照すべき技術仕様は次の通りである：3GPP TS 36.300 V10.5.0 (2011-09) Technical Specification 3rd Generation Partnership Project; Technical Specification Group Radio Access Network; Evolved Universal Terrestrial Radio Access (E-UTRA) and Evolved Universal Terrestrial Radio Access Network (E-UTRAN); Overall description; Stage 2 (Release 10) 。
【０００６】
上記文献は、その全体が本明細書に組み込まれる。以下、簡単のために、上記文献を3GPP TS 36.300と称することがある。
【０００７】
図1Aは、3GPP TS 36.300のfigure 4.1を複製したものであり、E-UTRANシステム（リリース8）の全体的なアーキテクチャを示したものである。E-UTRANシステムは、E-UTRANユーザプレーン （PDCP/RLC/MAC/PHY) と、UEに向かうコントロールプレーン（RRC）プロトコル終端とを提供するeNBを有する。eNBはX2インタフェースにより互いに接続している。eNBはまた、S2インタフェースによりEPCに接続している。さらに、S1 MMEインタフェースによりMMEに、S1インタフェース（MME/S-GW 4）によりS-GWに、接続している。S1インタフェースは、MMEやS-GW、UPE、eNBの間の、多対多の関係をサポートしている。
【０００８】
eNBは次の機能をホストする。 
・  RRMのための機能：RRC，無線アドミッションコントロール（Radio Admission Control）， 接続モビリティコントロール（Connection Mobility Control），アップリンク及びダウンリンクの両方におけるUEへのリソースの動的な割り当て（スケジューリング）；
・  ユーザデータストリームのIPヘッダ圧縮及び暗号化；
・  UEの接続におけるMMEの選択；
・  ユーザプレーンデータのEPC（MME/S-GW）に向けたルーティング；
・  （MMEを送信元とする）ページングメッセージのスケジューリング及び送信；
・  （MMEまたはO&Mを送信元とする）ブロードキャスト情報のスケジューリング及び送信；
・  モビリティ及びスケジューリングのための測定及び測定レポートの構成。
【０００９】
本明細書が特に関係しているのは、将来のIMT-A システムに向けた3GPP LTEの将来のリリース（例えばLTE Rel-10）であり、本明細書においてこれを簡単にLTE-AdvancedまたはLTE-Aと呼ぶ。 
【００１０】
この技術に関して次の文献を参照するべきであろう：3GPP TR 36.913 V10.0.0 (2011-03) Technical Report 3rd Generation Partnership Project; Technical Specification Group Radio Access Network; Requirements for further advancements for Evolved Universal Terrestrial Radio Access (E-UTRA) (LTE-Advanced)(Release 10)。また、次の文献も参照するべきであろう：3GPP TR 36.912 V10.0.0 (2011-03) Technical Report 3rd Generation Partnership Project; Technical Specification Group Radio Access Network; Feasibility study for Further Advancements for E-UTRA (LTE-Advanced) (Release 10)。
【００１１】
LTE-A の目標は、高いデータレートと低いレイテンシーによって、少ないコストで非常に高度なサービスを提供することである。LTE-Aは、低コストで高速なデータレートを提供すべく、3GPP LTE Rel-8の無線アクセス技術を拡張及び最適化しようとしている。LTE-Aは、LTE Rel-8との下位互換性を確保しつつIMT-AdvancedのITU-R要件を満たす、より最適化された無線システムになるであろう。
【００１２】
アップリンクフレーム及びダウンリンクフレーム（これらは10ミリ秒の長さを有する）は、次の仕様書において定義されている：3GPP TS 36.211 V10.3.0 (2011-09) Technical Specification 3rd Generation Partnership Project; Technical Specification Group Radio Access Network; Evolved Universal Terrestrial Radio Access (E-UTRA); Physical Channels and Modulation (Release 10)。図1Bは、3GPP TS 36.211のFigure 6.2.2-1: Downlink resource grid（ダウンリンク・リソース・グリッド）を複製したものであり、OFDM シンボル，サブキャリア，リソースブロック，リソースエレメントの関係を示している。
【００１３】
多地点協調（Coordinated Multipoint；CoMP) 送受信は、3GPP LTE-Aにおいて開発中の技術の一つであり、セルの全範囲において同じようなデータレートをエンドユーザに提供すべく、特にセルの境界におけるデータレートを上げようとするものである。CoMP技術は、UEへのダウンリンク送信及びUEからのアップリンク送信において、複数のBSの協調の度合いを高めることを含んでいる。 
【００１４】
この技術に関して次の文献を参照されたい：3GPP TR 36.819 V11.0.0 (2011-09) Technical Report 3rd Generation Partnership Project; Technical Specification Group Radio Access Network; Coordinated multi-point operation for LTE physical layer aspects (Release 11)。
【００１５】
また、次の文献も参照されたい：3GPP RP-111365, 3GPP Work Item Description: Coordinated Multi-Point Operation for LTE, Sept. 2011。
【００１６】
あるシナリオは、高い送信出力を有するマクロeNB（macro eNB）と、そのマクロeNBの圏内に存在する複数の低出力eNBとが協調・連携する、異種ネットワークを対象とするCoMPソリューションに関している。特に、ターゲットとするシナリオは、マクロeNBの圏内の全てのeNBs又はネットワークノードが同じセルID（cell-ID）を使用する技術を前提としている。なおこの技術をイントラセルCoMPまたはセル内CoMP（Intra-cell CoMP）と呼ぶことができる。これに関して次の文献を参照されたい：R1-110603, CoMP simulation assumptions, Jan. 2011。
【摘要】
【００１７】
本発明の典型的な実施形態の第１の側面では、次のような方法が提供される。この方法は、チャネル状態情報基準信号リソースの第１のセットを、複数の送信ポイントの各々に割り当てると共に、チャネル状態情報基準信号リソースの第２のセットを、前記複数の送信ポイントの各々に割り当てること、ただし前記第１のセットは前記第２のセットより小さい、前記割り当てることと；前記チャネル状態情報基準信号リソースの前記第１のセット及び前記第２のセットを記述する情報をユーザ機器に伝達することと；前記ユーザ機器からチャネル状態情報レポートを受信することと；を含む。ここで前記チャネル状態情報レポートは、前記チャネル状態情報基準信号リソースの前記第２のセットを少なくとも使用して、前記送信ポイントの少なくともいずれかについて、前記ユーザ機器でなされた測定を記述する情報を含む。
【００１８】
本発明の典型的な実施形態の別の側面によれば、少なくとも一つのデータプロセッサと、コンピュータプログラムコードを含む少なくとも一つのメモリとを備える次のような装置が提供される。この装置において、前記少なくとも一つのメモリおよび前記コンピュータプログラムコードは、前記少なくとも一つのデータプロセッサと共に、前記装置に、少なくとも、チャネル状態情報基準信号リソースの第１のセットを、複数の送信ポイントの各々に割り当てると共に、チャネル状態情報基準信号リソースの第２のセットを、前記複数の送信ポイントの各々に割り当てること、ただし前記第１のセットは前記第２のセットより小さい、前記割り当てることと；前記チャネル状態情報基準信号リソースの前記第１のセット及び前記第２のセットを記述する情報をユーザ機器に伝達することと；前記ユーザ機器からチャネル状態情報レポートを受信することと；を実行させる。ここで前記チャネル状態情報レポートは、前記チャネル状態情報基準信号リソースの前記第２のセットを少なくとも使用して、前記送信ポイントの少なくともいずれかについて、前記ユーザ機器でなされた測定を記述する情報を含む。
【００１９】
本発明の典型的な実施形態の更に別の側面では、次のような方法が提供される。この方法は、複数の送信ポイントの各々に割り当てられた、チャネル状態情報基準信号リソースの第１のセット、および、前記複数の送信ポイントの各々に割り当てられた、チャネル状態情報基準信号リソースの第２のセットを記述するシグナリング情報を、ユーザ機器において受信すること、ただし前記第１のセットは前記第２のセットよりも小さい、前記受信することと；前記チャネル状態情報基準信号リソースの前記第２のセットを用いて、前記複数の送信ポイントのうち少なくともいずれかについての測定を行うことと；前記ユーザ機器からチャネル状態情報レポートを送信することと；ここで前記チャネル状態情報レポートは、前記チャネル状態情報基準信号リソースの前記第２のセットを少なくとも使用して、前記送信ポイントの少なくともいずれかについて、前記ユーザ機器でなされた測定を記述する情報を含む。
【００２０】
本発明の典型的な実施形態のさらに別の側面によれば、少なくとも一つのデータプロセッサと、コンピュータプログラムコードを含む少なくとも一つのメモリとを備える次のような装置が提供される。この装置において、前記少なくとも一つのメモリおよび前記コンピュータプログラムコードは、前記少なくとも一つのデータプロセッサと共に、前記装置に、少なくとも、複数の送信ポイントの各々に割り当てられた、チャネル状態情報基準信号リソースの第１のセット、および、前記複数の送信ポイントの各々に割り当てられた、チャネル状態情報基準信号リソースの第２のセットを記述するシグナリング情報を、ユーザ機器において受信すること、ただし前記第１のセットは前記第２のセットよりも小さい、前記受信することと；前記チャネル状態情報基準信号リソースの前記第２のセットを用いて、前記複数の送信ポイントのうち少なくともいずれかについての測定を行うことと；前記ユーザ機器からチャネル状態情報レポートを送信することと；を行わせる。ここで前記チャネル状態情報レポートは、前記チャネル状態情報基準信号リソースの前記第２のセットを少なくとも使用して、前記送信ポイントの少なくともいずれかについて、前記ユーザ機器でなされた測定を記述する情報を含む。
【図面の簡単な説明】
【００２１】
添付図面において：
【図１Ａ】3GPP TS 36.300のfigure 4.1を複製したものであり、E-UTRANシステムの全体的なアーキテクチャを示したものである。
【図１Ｂ】3GPP TS 36.211のFigure 6.2.2-1: Downlink resource grid（ダウンリンク・リソース・グリッド）を複製したものであり、OFDM シンボル，サブキャリア，リソースブロック，リソースエレメントの関係を示している。
【図２】CSI-RSを利用するデータ送信の基本的な手続を示したものである。
【図３】一つのマクロセルの圏内に4つのピコ送信ノード（pico transmission node）が存在するネットワーク展開シナリオの例を示したものである。
【図４】この図には2つの表が描かれている。表1は、時間の関数としてCSI-RSポート構成を表している。（設定可能な周期性を有する）例示的な時点t2およびt6において、CSI-RSポートは、（後に詳述されるように）拡大CSI測定（expanded CSI measurement）用に構成され、複数のLPNから独立に測定を行うことが可能にされる。表2も、時間の関数としてCSI-RSポート構成を表している。例示的な時点t2およびt6において、CSI-RSポートは、拡大CSI測定用に構成され、複数のLPNから独立に測定を行うことが可能にされる。拡大CSIポート構成（expanded CSI port configuration）の間、共有CSI-RS構成（shared CSI-RS configuration）はアクティブのままである。
【図５】図5A及び図5Bは、拡大CSI-RS（expanded CSI-RS）リソースビットマップを示したものであり、図5Aは図4の表1に関連している。図5Bは、図4の表2の、追加的に構成されたCSI-RSリソースに関連する。
【図６】図6A及び図6Bはメッセージの流れを示したものである。図6AはLTE Rel-10/11のオペレーションに従った既知のメッセージフローを示し、図6Bは本発明に従う測定構成（measurement configuration）及び報告（reporting）に沿ったメッセージフローを示している。
【図７】本発明の典型的実施形態を実行するのに適する種々の電子デバイスと装置の簡易ブロック図を示す。
【図８】本発明の典型的実施形態に従う方法の実行の様子、またはコンピュータ可読媒体に格納されたコンピュータプログラム命令の実行の結果を描いた論理フロー図である。
【図９】本発明の典型的実施形態に従う方法の実行の様子、またはコンピュータ可読媒体に格納されたコンピュータプログラム命令の実行の結果を描いた論理フロー図である。
【００２２】
【詳細説明】
【００２３】
本発明の典型的実施形態は、大きくはダウンリンクのCoMPオペレーションに関し、より詳細には、多地点協調（Coordinated Multipoint）受信（RX）及び送信（TX）のシングルセル・オペレーションモードに関する。
【００２４】
LTEリリース10における新しい特徴の一つは、CSI-RS（Channel State Information - Reference Signals；チャネル状態情報基準信号）の導入である。その目的は、CSI推定のために、独立の基準信号（RS）を送信することである。このRSは、例えば5msとか10ms毎に、選択された（特定の）サブフレームの中で送信される。CSI-RSはUEによって使用されるように構成され、UEはCSI-RSに基づいてCSIを推定する。そしてUEは、CSIフィードバックをeNBに送信する。eNBはCSIをスケジューリングの決定や、データのための適切な送信フォーマットの選択のために使用する。この送信フォーマットには、例えば送信ランク（transmission rank）や前置符号化法（precoder）、送信ブロックサイズ、その他必要なパラメータが含まれる。DL送信モード9（TM9）中のデータはユーザ固有の（ユーザ専用の）復調基準シンボル（DM-RS）と共に送信される。DM-RSは、当該UEのためのデータと同じ物理リソースブロックに亘って存在する。DM-RSとデータに対して同じ前置符号化が適用される。かかる構成は、eNBが如何なる前置符号化をも使用することを可能にする。というのも、実際に使われる前置符号化法をUEが知ることができ、別途知らせる必要がないからである。図2は、CSI-RSを利用するデータ送信の基本的な手続を示したものである。
【００２５】
UEへ向けてCSI-RSを送信することに加えて、LTEリリース10は、送信電力ゼロで、その他のCSI-RSパターンを構成する可能性を提供する。これはミュートパターン、つまり、データをPDSCH上で送信する際に、eNBが、そのリソース要素を空（empty）のままにしておくことを示すパターンである。この特徴は、隣接セルにおいてCSI-RSに関する干渉を減らすことを可能にし、またCSI-RSデザインに関する将来の進化も可能にする。リリース11におけるUEは、例えば、PDSCH の干渉なしに、複数のセル及び／又は複数のCSI-RS構成から同時にCSI-RSを観測することができる（この特徴はLTEリリース10には含まれていない）。
【００２６】
次の定義は、本発明の実施形態の説明のために使用される。
・  CSI-RSポート（CSI-RS port）：ある送信ポイントにおいて、あるアンテナポートからのCSI-RSシーケンスの送信が存在しうるリソース要素（RE）。
・  CSI-RSリソース（CSI-RS resource）：（1つ、2つ、4つ、8つのいずれかの）CSI-RSポート（CSI-RS port）のセットであって、一つのセットとしてUEが観測及びレポートするように構成されたシーケンスである。従って、UEは、あるCSI-RSリソースに含まれるすべてのCSI-RSポートは、これらすべてのCSI-RSポートのための単一のCSIレポート（RI, PMI & CQI）を共に形成するものとして扱ってもよい。 
・  CSI-RSミュートパターン（CSI-RSゼロ送信出力パターン）（CSI-RS muting pattern, CSI-RS zero transmit power pattern）：UEへのPDSCH送信において、ミュートされている（無信号である）とみなされるCSI-RSポートのセットを示すビットマップ。
【００２７】
本明細書が関心を有するネットワーク展開シナリオの一例が、図3に描かれている。例えば4つのTXアンテナを有する1つのマクロeNBの圏内に、全部で4つのピコセル型ホットスポットが存在する。これらのホットスポットは、各々ある数（例えば1本、2本、4本等）の送信アンテナを有し、対応する数のCSI-RSポートが設定されている。
【００２８】
ピコセル送信ノードはマクロ送信ノードに比べて低い送信出力しか持っておらず、そのためLPN（低出力ノード；Low Power Node）と記載されている。これらはマクロセルと違うセルIDを持っている場合もあるが、同じセルIDを持っている場合もある。既知の異種ネットワークシナリオでは、各ピコセルノード／LPNは自身のセルを有し、それぞれ異なるセルIDを有している。しかし、イントラセルCoMPの場合、いくつかの送信ノードは同じ物理セルIDを有し、CSI-RSリソースが異なることによってしか区別することができない。そのような送信ノードは例えばRRH（リモート無線ヘッド）であるかもしれず、送信出力がそれぞれ異なるかもしれない。同じセルIDを有する送信ノードの組は、そのセルの送信ポイント（TP；Transmission Point）と称されることができる。図3は、4つのTP，TP1-TP4を描いている。なお非限定的な例であることに注意されたい。
【００２９】
イントラセルCoMPの例として、以下にいくつかの例を示す。これらはそれぞれセルの送信ポイントについてCSI-RSリソースの定義のために示される。
【００３０】
（Ａ）最初の例では、全ての送信ポイントが異なるCSI-RSリソースを使用する。
【００３１】
（Ｂ）別の例では、マクロノードを含むすべてのTPが、同じCSI-RSリソースを再利用する。なお、CSI-RSリソースセットを再利用することは、TP毎にTXアンテナの数が異なる場合にも可能である。ポートの数はセル中の全てのTPにおける最も多いTXアンテナ数によって与えられる。
【００３２】
（Ｃ）さらに別の例では、全てのLPNが同じCSI-RSリソースを再利用する。ただしそのCSI-RSリソースは、マクロノードが使用しているものとは異なる。
【００３３】
例（Ａ）は、様々CoMPスキームを実装するという点では最も柔軟性の高いものである。それは、上述のCSI-RSリソース構成のメカニズムが、様々な送信ポイントからのチャネルの個別測定（independent measurement）を構成するために使用することができるからである。しかし、このような構成では、PDSCH送信におけるCSI-RSオーバーヘッドも最大となってしまうだろう。図3から明らかなように、殆どのUEは、セル全体に分散している多くの送信ポイントからの信号を効率的に結合することができないだろう。さらに、ジョイント送信（Joint TransmissionまたはJT；複数の送信ポイントからのUEへの同時送信 ）等の、より洗練されたCoMPスキームをサポートするために、個別測定はeNBにおいて結合されるべきである。このことは、固有の損失が存在することを示唆する。さらに、構成されたCSI-RSリソースの全てのために継続的にCSIをモニタリングしレポートすることは、UEにとって、測定のオーバーヘッドやレポートのオーバーヘッドが大きくなることを示唆する。ネットワーク側から見れば、UL制御チャネルのオーバーヘッドが大きくなってしまう。
【００３４】
例（Ｂ）は最も簡単な構成であると言える。それは、イントラセルオペレーションのためにミューティングパターンを必要としないからである。また、測定オーバーヘッドも最小で済む。しかしこの例は、システムにおいてサポートされるオペレーションモードに制限があることを示唆している。基本的に、CSIレポートの観点からみると、この例はセル内の全てのTPからのジョイント送信が行われることを示唆している。しかし、（複数ユーザ空間多重化による）PDSCH の再利用は、例えばLPNのコアエリアに存在するUEにしか可能ではない。それは、その領域であれば、マクロノードや他のLPNからの寄与が小さくなっているからである。 
【００３５】
例（Ｃ）は、CSI-RSオーバーヘッドと、セル内でPDSCHを再利用する柔軟性との間で優れたトレードオフを提供する。LPN同士の間では、コヒーレント・ジョイント送信（Coherent Joint Transmission）がサポートされる。これは共有CSI-RSリソースのために単一のCSIフィードバックを用いる。また、独立のCSI-RSリソースを有するマクロノードについての独立のCSI測定も行われる。従って、LPNとマクロノードとの間の柔軟な協調がサポートされる。さらに図3から明らかなように、多くのUEにとって、複数のLPNからの周波数チャンネルを個別に測定可能とすることにそれほど多くの利点はない。なぜなら多くのUEは、多くの場合、マクロeNBの他は1つのLPNからのチャネルしか観測することができないからである。ただし、二つ又はそれ以上のLPNからのCoMP送信から利益を受けるUEは存在する。例えば図3においてTP1とTP3の間に位置するUE2がそれである。
【００３６】
例（Ｃ）のアプローチの一つの問題は、複数のLPNにおいてPDSCHが再利用される場合、CSI測定が正確ではなくなるであろうことである。例えば、図3のTP1およびTP3が別々のユーザのために個別にPDSCHを送信している場合、TP3の配下のUE6は、TP1からの同じCSI-RS送信により歪みが生じたPMI及びCQIを観測するだろう。PMIについては、比較的小さなコードブック（codebook ）に量子化されているため、TP1による小さな撹乱はPMI選択に必ずしも影響を及ぼすというものではなく、性能劣化を必ず引き起こすわけではない。しかしCQIの変動（fluctuation）は比較的大きくなりうる。というのも、信号に寄与していると考えられたことのあるリンク（例えばこの場合はTP1）は、干渉源ではなく信号源であるかもしれないと検討されねばならないからである。 
【００３７】
そこで、UEは、システム内で定期的なCSIフィードバック用に構成されたポートについてCSIを定期的にレポートするだけとし、ただし各送信ポイントから受信した相対出力に関する情報はeNBに提供することができるようにすることが、有利である。この情報によって、eNBは、別々のLPNにおいてPDSCHが再利用されるべきかどうかを少なくとも決定することができ、また、各スケジュール決定のあとに、上述の干渉を除去するCQI補正を行うことができるようになる。
【００３８】
本発明の実施形態は、拡大CSI-RSリソース構成をUEにおいて採用することにより、問題に対するソリューションを提供する。
【００３９】
なお、単一セルID／イントラセルCoMPオペレーションについては、RAN1#63bisミーティングにおいて3GPPコミュニティに紹介または提案されている。次の文献を参照されたい：R1-110461, Baseline Schemes and Focus of CoMP Studies, Jan. 2011。チャネル状態情報（CSI）のフィードバックのやり方や定義はまだ定まっていない。
【００４０】
本発明の典型的な実施形態の更なる詳細を説明する前に、図7を説明することとする。この図は、本発明の典型的な実施形態を実施するために適した様々な装置の簡略化されたブロック図である。図7において、無線ネットワーク90は、eNB 12，NCE/MME/SGW 14，RRH 130のような送信ポイントを有する。典型的な状況においては、図3に示されるように、RRH 130のような複数の送信ポイントが存在することができる。そのような送信ポイントは、eNB 12（マクロeNB）に結びついたマクロセルの圏内に存在する。
【００４１】
無線ネットワーク90は、UE 10などと称されうる移動通信デバイスのような装置が、ノードB（基地局）のようなネットワーク・アクセスノードを通じて、無線リンク35や36を介して通信できるようにされている。ノードBは、具体的にはeNB 12やRRH 130であることができる。ネットワーク90はネットワーク制御要素（NCE）14を含むことができる。NCE 14はMME/SGWの機能を有していてもよく、リンク25を通じて別のネットワークへの接続を提供する。そのような別なネットワークは、電話ネットワークやデータ通信ネットワーク85（例えばインターネット）であってもよい。NCE 14は、少なくとも一つのコンピュータまたはデータプロセッサ（DP）14A等のコントローラや、コンピュータ命令のプログラム（PROG）14Cを格納するメモリ（MEM）14Bとして具現化される少なくとも一つの非一時的コンピュータ可読記憶媒体を備える。
【００４２】
UE10は、少なくとも1つのコンピュータやデータプロセッサ（DP）10A等のコントローラや、コンピュータ命令のプログラム（PROG）10Cを格納するメモリ（MEM）10Bとして具現化される少なくとも一つの非一時的コンピュータ可読記憶媒体、一つ又は複数のアンテナ10Eを介してeNB 12やRRH 130と双方向無線通信を行うための適切な少なくとも1つの無線送信機・受信機対（送受信機）10Dを備える。eNB 12は、少なくとも1つのコンピュータやデータプロセッサ（DP）12A等のコントローラや、コンピュータ命令のプログラム（PROG）12Cを格納するメモリ（MEM）12Bとして具現化される少なくとも一つの非一時的コンピュータ可読記憶媒体、一つ又は複数のアンテナ12Eを介してUE 10と通信を行うための適切な少なくとも1つの無線送受信機12Dを備える。MIMOが用いられる場合、eNB 12のアンテナの数は通常複数である。
【００４３】
eNB 12はデータ及び制御パス13を通じてNCE 14に接続されている。パス13は、図1Aに示したS1インタフェースとして実装されてもよい。eNB 12は、データ及び制御パス15を通じて少なくとも一つの送信ポイント130に接続されてもよい。接続先が他の論理基地局（logical base station）である場合、パス15は図1Aに示したX1インタフェースであってもよい。また、無線リモートヘッド（RRH）のような送信ポイントを少なくとも一つeNB 12に接続するために、パス15は光ファイバコネクションのようなダイレクトeノードB内部インタフェース（direct eNodeB internal interface）であってもよい。通常eNB 12は、一つ又は複数のアンテナ12Eを通じて単一のマクロセルをカバーする（図3参照）。
【００４４】
この例において、少なくとも一つの送信ポイント130は、少なくとも1つのコンピュータやデータプロセッサ（DP）130A等のコントローラや、コンピュータ命令のプログラム（PROG）130Cを格納するメモリ（MEM）130Bとして具現化される少なくとも一つの非一時的コンピュータ可読記憶媒体、一つ又は複数のアンテナ130Eを介してUE 10と通信を行うための適切な少なくとも1つの無線送受信機130Dを備える。MIMOが用いられる場合、アンテナの数は通常複数である。送信ポイント130は、無線リンク36を通じてUE 10と通信する。実装方法に応じて、送信ポイント130は、データ及び制御パス15を用いてeNB 12と通信してもよい。送信ポイント130は別のeNBであってもよい。送信ポイント130はまた、例えばRRHによって実装される、eNB 12の論理部分であってもよい。図3に描かれるように、RRHはeNB 12のマクロセル圏内に局所的なサービスエリア（ホットスポット）を形成することができる。イントラセルCoMPにおいて、全ての送信ポイント130は、単一のeNB 12の完全な制御下にある（図3も参照のこと）。従って、複数の送信ポイント／RRH 130が接続する何らかの中心的な要素が存在する。それによって、複数の送信ポイント130およびマクロeNB 12が共に中央制御される。この制御部は通常マクロeNB 12に存在するが、eNB 12や送信ポイント130に接続される何らかの要素に設けられている場合もある。
【００４５】
実施形態によっては、送信ポイント130は、eNB 12の機能を拡大するものと考えられることができる。すなわち、eNB 12に対して、空間的に分散した無線送信・受信能力を提供するものと考えられることができる。例えば、実施形態によっては、送信ポイント130のベースバンド処理は、eNB 12において行われることができる。
【００４６】
本発明の典型的な実施形態の説明に関連して、UE 10は、CSI測定及び報告ユニット10Fを備えていると想定されることができる。またeNB 12は、CSI RS割り当て及び測定受信ユニット12Fを備えていると想定されることができる。CSIユニット10F及び12Fは、以下さらに詳細に説明されるような、本発明の典型的な実施形態に従って、動作することができる。
【００４７】
プログラム10C，12C，130Cの少なくともいずれかは、関連するDP10に実行される時に、以下さらに詳細に説明されるような、本発明の典型的実施形態に従った処理を、装置が遂行することを可能にするプログラム命令を含んでいると想定される。つまり、本発明の典型的な実施形態は、少なくともその一部がコンピュータソフトウェアにより実装されることができる。そのようなソフトウェアは、UE 10のDP 10A及び／又はeNB 12のDP 12A及び／又はTP 130のDP 130Aにより実行されることが可能である。本発明の典型的な実施形態は、ハードウェアや、ソフトウェア及びハードウェア及び（ファームウェア）の組み合わせにより実装されることもできる。
【００４８】
図7に描かれる、様々なデータプロセッサやメモリ，プログラム，送受信機，インタフェースは、全て、本発明の非限定的な側面・実施形態を実装する動作や機能を実行する手段を表すと考えられることができる。
【００４９】
一般に、UE10の様々な実施形態は以下のものを含んでもよい：携帯電話，無線通信機能を備える携帯情報端末（PDA），無線通信機能を備えるポータブルコンピュータ，無線通信機能を備える、デジタルカメラ等の撮像装置，無線通信機能を備えるゲーム機器，無線通信機能を備える音楽格納・再生装置，無線インターネットアクセスとブラウジング可能なインターネット装置，以上の機能の組合せを備えるポータブルユニットまたは装置。ただし、これらに限定されない。
【００５０】
コンピュータ可読MEM10B，12B，14B，130Bは、ローカルな技術環境に適したあらゆるタイプのものであってよい。例えば、半導体ベースのメモリデバイス，フラッシュメモリ，磁気メモリデバイス・システム，光学式メモリデバイス・システム，固定式・移動式メモリ，ランダム・アクセス・メモリ，リード・オンリー・メモリ，プログラマブル・リード・オンリー・メモリ等の様々な適合するデータ格納技術を用いて実装されてもよい。DP10A，12A，14A，130Aは、ローカルな技術環境に適したあらゆるタイプのものであってよく、非限定的な例として、一つ以上の汎用コンピュータ，特定用途向けコンピュータ，マイクロプロセッサ，デジタル信号プロセッサ（DSP），マルチコアプロセッサ・アーキテクチャに基づくプロセッサを含んでもよい。
【００５１】
本発明の典型的な実施形態の使用は、ネットワーク／eNB 12が、イントラセルCoMPオペレーションにおいて、（有用な場合に）PDSCHを再利用するために十分な情報を得ることができるようにする。また、CIS-RSオーバーヘッドを最小限にしながらジョイント送信をサポートするために十分な情報を得ることができるようにする。
【００５２】
本発明のある側面は、再利用されるCSI-RSリソースを、例えばイントラセルCoMPにおけるLPNの間で設定し、散発的な個別測定のために、各送信ポイントに対して個別のCSI-RSリソースを定める。散発的な測定（sporadic measurement）は、小さなオーバーヘッドで実装することができ、また簡易なCSIフィードバックレポートを生成するために使用される。このCSIフィードバックレポートは、PDSCH再利用を構成することを可能にし、また、関連するCQI補償を行うことを可能にする。散発的な測定は、送信ノード（マクロノード及びLPN）のCSIの通常の測定よりも行われる頻度が少ない。
【００５３】
本発明の原理の非限定的且つ簡単な例の一つが図4の表1に描かれている。一つのマクロセル及び四つのLPNホットスポットLPN1-LPN4な存在するとしよう（なお、LPNの数はこれより少なくとも多くてもよい）。また、各LPNにはCSI-RSリソース＃1が割り当てられ、これは全てのLPNに共通であるとしよう。マクロセルにはCSI-RSリソース＃0が割り当てられているとしよう。これらの構成は関連するUE 10に伝えられる。UE 10にはまた、現在のセル及び隣接セルにおけるCSI-RSリソースに対応するミュートパターンが伝えられてもよい。本発明によれば、上記の例（Ａ）に似た拡大CSI（expanded CSI）用の構成を示すために、第2のパターン又はパターンセットが定められる。このパターン又はパターンセットでは、（表1の時点t2およびt6において）拡大CSI測定（expanded CSI measurement）に使用されるための個別のCSI-RSリソースを、各TPが有する。
【００５４】
この第2のパターンにより、CSI-RS測定が（小さなオーバーヘッドの）コンパクト型と（大きなオーバーヘッドの）拡大型との間で変わるたびに、UE用のCSI-RSをセル内で再構成する必要性から逃れることができる。その代わりに、eNB 12は、あるサブフレームでは第2のパターンが使用されるという、セル固有の通知を送信することができる。この通知は、拡大CSI測定のトリガとして用いられることができる。 
【００５５】
表1の時点t2及びt6における拡大CSI-RS測定構成及び拡大CSI測定は、少なくとも二つの異なる手法で実装されることができる。
【００５６】
（A.1）第1の手法（伝達手法A.1）では、CSI-RSリソース＃0-＃4及び対応するミュートパターンがUE 10に対して直接伝達さる。つまり、拡大CSI-RS測定が行われる時点における5つのCSI-RSリソースが、リリース10のCSI-RS構成シグナリング（CSI-RS configuration signaling）と同様の手法で個別に伝達される。
【００５７】
（B.1）第2の手法（伝達手法B.1）では、構成及びレポートの信号伝達が、オーバーヘッドを小さくした形で用いられる。例えば、リリース10のZeroPowerCSI-RS （ゼロ出力CSI-RS）構成のCSI-RSポートビットマップを採用することにより行われる。これは、拡大CSI-RS構成ビットマップ（expanded CSI-RS configuration bitmap）と称されることができる。加えて、対応するミュートパターンが、第1の手法（A.1）の場合と同様に、UE 10に送信される。
【００５８】
具現化形態の別の実装例が、図4の表2に示されている。ここでは、CSI-RSリソース＃1は、全てのCSI-RS送信インスタンス（送信時点）においてLPNから常に送信され、拡大測定は、各LPNにおけるCSI-RSリソース＃2-＃5に基づいて行われる。この実装例は表1のものよりオーバーヘッドが大きいかもしれない。しかし、CSI-RSを含むサブフレームの各々について通常のCSIレポートのための測定を行うことが可能になるため、後方互換性が高いという利点がある。この実施形態において、UE 10は、例示的な時点t2およびt6の例示的な測定サブフレームにおいて、基本的なCSI-RSリソース＃0-＃1と、図5Bの追加のCSI-RSリソース＃2-＃5とに基づいて、CSIの測定を行う。つまり、UE 10は、これらのサブフレームにおいて、CSI-RSリソースの拡大セットと基本セットの両方を測定する。UE 10は、CSI-RSリソース＃0-＃1のための通常の完全なCSIレポートを、CSI-RSリソース＃2-＃5による第2のセットのためのCSIレポートとは別に送信することができる。この第2のセットのためのCSIレポートは、簡略化されたCSIレポートであってもよい。 
【００５９】
どの実施形態でも、拡大CSI測定を行うことにより得られる情報は、UE 10からeNB 12へとレポートされる。 
【００６０】
表2の時点t2及びt6における拡大CSI-RS測定構成及び拡大CSI測定は、少なくとも二つの異なる手法で実装されることができる。
【００６１】
（A.2）第1の手法（伝達手法A.2）では、追加の構成＃2-＃5及び対応するミュートパターンがUE 10に対して直接伝達さる。つまり、4つの追加構成および測定が、リリース10のCSI-RSリソースシグナリング（CSI-RS resource signaling）と同様の手法で個別に伝達される。 
【００６２】
（B.2）第2の手法（伝達手法B.2）では、構成及びレポートの信号伝達が、オーバーヘッドを小さくした形で用いられる。例えば、リリース10のZeroPower CSI-RS構成のCSI-RSポートビットマップを採用することにより行われる。 これは、拡大CSI-RS構成ビットマップ（expanded CSI-RS configuration bitmap）と称されることができる。加えて、対応するミュートパターンが、第1の手法（A.2）の場合と同様に、UE 10に送信される。
【００６３】
なお、第1の手法(A.1)/(A.2)や第2の手法(B.1)/(B.2）のいずれにおいても、セル内で送信される全ての追加CSI-RSリソースが各UEに対して構成されるのではなく、これら追加CSI-RSリソースのサブセットのみが各UEに対して構成される場合もある。全てのUEに対してサブセットしか構成されないのではなく、一部のUEに対してのみそのように構成されるのである場合もある。
【００６４】
次に、第2の手法(B.1)/(B.2）についてより詳細に説明する。
【００６５】
まず、次の資料を参照されたい：3GPP TS 36.211 V10.3.0 (2011-09) Technical Specification 3rd Generation Partnership Project; Technical Specification Group Radio Access Network; Evolved Universal Terrestrial Radio Access (E-UTRA); Physical Channels and Modulation (Release 10)。
【００６６】
第6.10.5節で説明されているように、高次のレイヤにより構成されるZeroPowerCSI-RSの16ビット・ビットマップにおいて1にセットされている各ビットについて、UEは、3GPP TS 36.211 V10.3.0のTable6.10.5.2-1およびTable6.10.5.2-2における4つのCSI基準信号コラムに対応するリソース要素に対してゼロ送信出力を想定すべきである。ただし、非ゼロ送信出力CSI-RSであるとUEが想定すべきであると高次のレイヤにより構成されているリソース要素に重なっているリソース要素を除く。なおTable6.10.5.2-1は通常のサイクリックプレフィックス（normal extended cyclic prefix）についての表であり、Table6.10.5.2-2は拡大サイクリックプレフィックスサイクリックプレフィックス（extended cyclic prefix）についての表である。そのビットマップにおいて、MSBは、CSI基準信号構成インデックスの最も低次のものに対応し、後続のビットは、他の構成インデックスに当該他のインデックスの昇順で対応する。 
【００６７】
本発明のある具現化形態においては、拡大CSI-RS構成及びレポートの粒度（granularity ）はZeroPowerCSI-RSと同じであってもよい。すなわち、4つのCSI-RSポートのグループと同じであってもよく、また、図5Aおよび5Bに示される各CSI-RSポートを表すビットマップ（それぞれ表1及び表2の場合に対応する）と同じであってもよい。例えば、per-CSI-RSポートの表示を含むLTE FDDの場合、40ビットを有する場合がある。
【００６８】
一般的に、図5Aは、伝達手法（B.1）のための、表1の拡大CSI-RS構成ビットマップの基本的な原理を示し、図5Bは、伝達手法（B.2）のための、表2の追加構成の基本的な原理を示す。拡大CSI-RS構成ビットマップに基づいて、UE 10は、CSI-RSリソースのサブセットのチャネル／信号を品質を推定し、eNB 12にレポートする。 
【００６９】
拡大CSI測定構成がUE 10に伝達される方法に関わらず（すなわち上述の手法(A.1)/(A.2)や (B.1)/(B.2) に関わらず）、時点t2およびt6において、UE 10は、拡大CSI-RSリソースに基づいて、構成された送信ポイントに関して測定を行う。（伝達手法A．2又はB．2に従う）第2の実施形態において、UE 10は、通常のCSI-RSリソースについての完全なCSIと、拡大CSI-RSリソースについての小さなCSIとの、両方を測定することができる。拡大CSI-RSリソースのCSI測定に基づき、UE10は、それに対応する追加のCSIレポートを形成し、送信する。このレポートは、通常のCSIレポートに比べて簡略化されたCSI情報を含む。それによってeNB 12は、CSI-RSアンテナポートグループの信号強度を知ることができる。そこでeNB 12は、次のレポート時点において、通常のCSI-RS／ミュートパターンによって、UE 10によってレポートされるCQIを補償することができる。
【００７０】
測定構成及びレポートは、通常の（コンパクトな）CSIフィードバックと、特別な（大きな）CSIフィードバックとに分割されることができる。なお、測定及びレポートは両方ともUE 10によってなされるものの、拡大測定は、（eNB 12による構成に基づいて）あまり頻繁に行われない方が好ましく、（RIやPMI、CQIを含む通常のCSIレポートに比べて）CSIの粒度も粗くてもよい。表2の拡大CSI-RS構成に関して、UE 10は、CSI-RSリソース＃0-＃1のための通常の完全なCSIレポートを、CSI-RSリソース＃2-＃5による第2のセットのための特別なCSIレポートとは別に送信することができる。
【００７１】
この拡大CSIフィードバック構成及びレポートは新規な要素であり、全てのオプションにおいて、上述の手法(A.1)/(A.2)にあるように、複数の異なる独立なCSI-RSリソース構成から構成されることができ、また、上述の手法(B.1)/(B.2)で示される拡大ビットマップ（expanded bitmap）により構成されることができる。
【００７２】
図6AはLTE Rel-10/11のオペレーションに従った既知のメッセージフローを示し、図6Bは本発明に従う測定構成及びレポートに沿ったメッセージフローを示している。
【００７３】
図6Aの既知の手続において、eNB 12は、一つ（リリース10）又は複数（リリース11において既に合意済み）のCSI-RSリソース及びミュートパターンを構成し、その情報をUE 10に伝える（6A1）。eNB 12は、構成したCSI-RSリソースに基づいて、周期的または非周期的な測定をリクエストする（6A2）。UE 10は、構成されたCSI-RSリソースについて測定を実行し、CSIレポートをeNB 12に送信する（6A3）。6A4はオプションの手続であり、UE 10が、構成されたミュートパターンについてCSIをレポートする。
【００７４】
本発明の典型的な実施形態に従う図6Bの手続において、eNB 12は、追加の拡大CSI-RSリソース及び対応するミュートパターンを構成し、その情報をUE 10に送信する（6B1）。eNB 12は、拡大CSI-RSリソースに基づいて、長い周期の又は非周期的な測定をリクエストする（6B2）。UE 10についての拡大CSI-RSリソースに従い、拡大CSIレポートのためのサブフレームにおいて、複数のTPの各々からCSI-RSの送信が発生する（6B3）。UE 10は、拡大CSI-RSリソースについて、簡略化されたCSIレポートをeNB 12に送信する（6B4）。
【００７５】
以下の説明は、測定及びレポートの新規な手続、及び、既存の（リリース10の）測定及びレポートとの関係について焦点をあてる。本発明に従う測定構成及びレポートは、次のような論理ステップを含むものと考えることができる。
【００７６】
（ステップ1）eNB 12は、一つ又は複数の拡大CSI-RSリソース構成をUE 10に伝達する。この拡大CSI-RSリソース構成は、上述の手法Aまたは手法B（拡大ビットマップ）を用いて拡大CSI測定のために用いられる。このステップ1において、eNB 12は、CSI-RSリソース構成をUE 10に伝達することにより、構成を行うと考えられることができる。これは、図6Bの6B1に対応する。
【００７７】
（ステップ2）eNB 12は、それぞれ異なる複数のCSI-RSリソースについてのチャネル品質に関するレポートをUE 10にリクエストする。または、拡大CSI-RSリソース構成により示される個々のリソースについてのチャネル品質に関するレポートをUE 10にリクエストする。このチャンネル品質は、簡略化されたバーションでもよいし、通常のCSIバーションでもよい。これは、図6Bの6B2に対応する。
【００７８】
ここで、eNB 12は、UE 10によって特別なCSI-RSミュートパターンが使用されるサブフレームを、注意深くコーディネートする必要があることに注意されたい。これは重要なことである。というのも、eNB 12は、これらのサブフレームにおいて、複数の送信ポイントをそれぞれ異なるCSI-RSリソースにマップする必要があるかもしれないからである。また、従って、図4の表1に示されるように、CSI-RSミュート構成によってPDSCHのミュートを適切に構成する必要があるかもしれないからである。
【００７９】
拡大CSI-RSリソースに基づいてUEにより生成されるレポートの構成は、米国特許出願第13/066,227（出願日2011年4月8日，タイトル"Signal Port Discovery Involving Transmission Points"，発明者Klaus Hugl，Cassio Ribeiro，Timo Lunttila）に記載のものと同様であることができる。この米国特許出願の明細書は、参照により本願明細書に組み込まれる。これらは便宜のためにここで繰り返される（下のステップ3-6）。
【００８０】
（ステップ3）UE 10は、伝達手法(B.1)/(B.2) のために、各CSI-RSリソースのチャネル品質を特定し決定する。ここで各リソースは、"拡大CSI-RS構成パターン"に示されるように、一つ又は複数のCSI-RSポートを含む。またはUE 10は、伝達手法(A.1)/(A.2)のために、各CSI-RSリソースのチャネル品質を特定し決定する。このコンテキストにおけるチャネル品質の定義は、例えば、レポート粒度（reporting granularity）の範囲内におけるCSI RSリソースに亘るCSI-RS平均受信電力や、平均SINR、投影されたデータスループット（projected data throughput）等を含んでもよい（LTEにおけるCQIの定義に似ている）。
【００８１】
（ステップ4）UE 10は測定の結果をeNB 12にレポートする。このレポートは、例えば、CSI測定と同様に、レイヤ1のシグナリングを利用して実装されてもよい。または、例えばLTEにおけるRSRP/RSRQの場合のように、MAC処理を通じて実装されてもよい。様々なレポート粒度やレポート情報が考慮されてもよい。非限定的な例として、強度の最も大きなCSI-RSポート（またはリソース）のビットマップがeNodeBにレポートされてもよい。または、複数のCSI-RSポート（またはリソース）を表す情報および関連する品質情報がレポートされてもよい。例えば、強度の最も大きなCSI-RSリソースやその品質、最も良いリソースに比して強度の小さな1つ又は複数のCSI-RSリソースや対応する品質がレポートされてもよい。
【００８２】
eNB 12は、最終的なレポートをどのように構成するかをUE 10に案内するために、UE 10においてある測定制限を設けてもよい。例えば、関連するレポート粒度に応じて、n個の最強の／最良のCSI-RSポートまたはリソースに基づく選択がなされてもよい。値nはeNB 12により設定されてもよいし、高次レイヤのシグナリングにより設定されてもよい。従って、UE 10は、n個の最強／最良CSI-RSポートまたはリソースをレポートする。別の例では、eNB 12は、最高品質／最高性能のCSI RSポートまたはリソースに対する相対的な品質／性能を考慮するようにUE 10を案内してもよい。
【００８３】
（ステップ5）eNB 12はUE 10からレポートを受け取り、そのUE 10のためのCoMP協調セット（CoMP collaboration set）及び送信モードを決定する。つまり、どの送信ポイントがPDSCHを特定のUE 10に送信していることを決定する。またeNB 12は、受信した測定レポートに基づいて、同じCSI-RSリソースを共有しているLPNの通常のコンパクトなCSI-RSレポート（compact CSI-RS reporting）のために、CQI補償を適用することができる。
【００８４】
なおeNB 12は、ステップ2において、レポート要求を定期的にトリガすることができることに注意されたい。これは、シングルセルIDのCoMPオペレーションのために長い期間にわたって最適なCoMP協調セットの情報を得ることと、LPNにおいて複数のCSI-RSリソースが存在することに起因するオーバーヘッドを減らすことのためである。
【００８５】
前述のように、可能性のあるアプローチの一つは、セルにおいて個々のTP130が、それぞれ異なるCSI-RSリソース及び構成を使用するというものである。しかし、この選択肢では、CSI-RSオーバーヘッドが最も大きくなってしまうであろう。また、ある場合（コヒーレントジョイント送信）おいて、これらのレポートをeNB 12においてまとめることは、各レポートの量子化のために、性能の劣化を招いてしまう可能性がある。本発明の具現化形態の使用は、UE 10に対して、オーバーヘッドを減らし、コヒーレント・ジョイント送信のより直接的な利用可能性を提供する。
【００８６】
本発明の典型的な実施形態は、そのある側面において、再利用されるCSI-RSリソースのセットの定義を提供する。そのようなCSI-RSリソースのセットは、例えばイントラセルCoMPにおけるLPNの間で再利用される。また本発明の典型的な実施形態は、そのある側面において、さらに、各送信ポイントのために、非周期的な（頻度の少ない）個別測定のための個別のCSI-RSリソースを定義する。本発明の典型的な実施形態は、さらに、非周期的な個別測定を構成し、通常のCSI-RS測定と非周期的な個別測定とを組み合わせる手法を提供する。加えて、場合によっては、必要とされる場合に、適切なCQI補正／調節において非周期的な測定を考慮にいれる。
【００８７】
なお一般的に、CSI RSリソースの再利用は、ネットワークノードの数に関わらず適用することができる。また、異なるセルIDを有するネットワークノードに対してさえ、適用することができる。
【００８８】
既存のアプローチでは、eNB 12は、RRCシグナリングを通じて、UE固有のCSI-RSリソースを再構成することができる。本発明の特徴に従う場合は、eNB 12は、二つの種類のCSI-RSリソースを構成することができる。すなわち、二次CSI-RSリソース構成（secondary CSI-RS resource configuration）が導入されたのであり、これは、頻繁なるCSI-RSリソース再構成に比べてシグナリングの必要性を減らすために導入されたものである。二次CSI-RSリソースは長い周期性を有する。例えば、5msや10msの倍数である。頻繁でなくたまにレポートされるCQI測定情報は、eNB 12によって、TPを選択するために（または少なくともどのTPがUE 10に近いのかを決定するために）使用されることができ、またCQI補償を可能にするために使用されることができる。シンプルなCSI測定がUE 10によってなされ、レポートされることを可能にするために、長いCSI周期が用いられる。これは、eNB 12が、UE 10にとって優勢な（1つ又は複数の）TPがどれかを決定し、ある程度のCQI補償を行うことを可能にする。なお、CQI補償と優勢TPは実際の送信に用いられうることに注意されたい。しかし、これらは、例えば実際の送信のための前置符号化法を決定するためには必ずしも使用されなくともよい。
【００８９】
上の説明から、本発明の典型的な実施形態が、イントラセルCoMPオペレーションを強化する方法、装置、コンピュータプログラムを提供することが、明らかであろう。
【００９０】
本発明のある特徴によれば、CSI-RSリソースの第1のセットが複数のTP130に割り当てられると共に、CSI-RSリソースの第2のセットが複数のTP130に割り当てられる。ここで第1のセットは第2のセットよりも小さい（smaller）。割り当てられたCSI-RSリソースは所定のOFDMシンボル及び特定のサブキャリアによって送信される。ある非限定的な実施形態において、上記第1のセットは全てのTP130のための共通のCSI-RSリソースを一つ有し、上記第2のセットは各TP130に対して一つのCSI-RSリソースを有する。少なくとも一つのTP130は、両方のセットにおいて同じCSI-RSリソースを使用することができる。ある非限定的な例において、上記第1のセットのCSI-RSリソースは、例えば5ms毎に送信されることができ、上記第2のセットのCSI-RSリソースは、例えば20ms毎に送信されることができる。
【００９１】
本発明のある特徴によれば、上記CSI-RSリソースの第1のセットは複数の送信ポイントのうち少なくともいくつかによって共有される共通のCSI-RSリソースを含み、上記CSI-RSリソースの第2のセットは各送信ポイントについて一つのCSI-RSリソースを含むことができる。この第2のセットのCSI-RSリソースは、ユーザ装置によって一意に識別可能である（すなわち、UE 10によって論理的に一意の送信ポイントと観察されうる）。各CSI-RSリソースは、それぞれ、どの送信ポイントが、UE受信機の観点から識別可能であるべきかを定める。これに関して、LPN（物理的送信ポイント）が複数のグループに分けられるように、システムを構成することが可能である。CSI-RSリソースの第1のセットでは、各LPNは共通のCSI-RSリソースを共有していてもよい。一方、CSI-RSリソースの第2のセットでは、LPNの各グループが、それぞれ異なるCSI-RSリソースを有していてもよい。従って、これらのグループは、UE 10から見て論理的に識別可能な送信ポイントを形成しうる。（従って、物理的な送信ポイントの数は、UEが識別可能な送信ポイントの数よりも多い可能性がある。）図4に描かれた典型的な実施形態において、各LPNは、CSI-RSリソースの第2のセットに関連して、グループを形成しうる。さらに、CSI-RSリソースを共有する送信ポイントのセットが同じCSI-RSリソースを送信するように構成されうるのであれば、本発明の教示をマクロセルのグループに適用することも可能である。
【００９２】
上の説明に基づいて明らかなように、本発明のある側面は、多地点協調（CoMP）無線通信システムにおける進化型ノードB（evolved NodeB）によって実施されることが可能である。進化型ノードBは、受信したチャネル状態情報レポートを、少なくとも、ユーザ装置用にCoMP送信フォーマットを定めるために使用することができる。このCoMP送信フォーマットは、例えば、関係するCoMP送信ポイントの選択や、送信レイヤの送信ランク／数、前置符号化法、送信ブロックサイズを含むことができる。なお、これらに限られない。進化型ノードBはまた、受信したチャネル状態情報レポートを、少なくとも、スケジューリングの決定のために使用することができる。例えば、非限定的な例として、非CoMP送信やブランキング（blanking）、ジョイント送信の使用を含むスケジューリングの決定のために使用することができる。さらに進化型ノードBは、受信したチャネル状態情報レポートを、対応する送信フォーマットに関連するパラメータを決定するために使用することができる。加えて、進化型ノードBは、必要とされるならば、受信したチャネル状態情報レポートを、レポートされたチャネル品質指標値を補償するために使用される補償値を伝達することに関して使用することができる。これは、上記の補償値に、選択されたCoMP送信フォーマットが、ユーザ装置で経験された干渉に関して有する影響を反映させるためである。
【００９３】
図8は、本明細書の典型的実施形態に従う方法の実行の様子、またはコンピュータプログラム命令の実行の結果を描いた論理フロー図である。これら典型的実施形態において、方法は、ブロック8Aにおいて、チャネル状態情報基準信号リソースの第1のセットを、複数の送信ポイントの各々に割り当てると共に、チャネル状態情報基準信号リソースの第2のセットを、前記複数の送信ポイントの各々に割り当てることを行う。ただし前記第1のセットは前記第2のセットより小さい。ブロック8Bは、前記チャネル状態情報基準信号リソースの前記第1のセット及び前記第2のセットを記述する情報を、ユーザ機器に伝達するステップである。ブロック8Cは、前記ユーザ機器からチャネル状態情報レポートを受信するステップである。ここで前記チャネル状態情報レポートは、前記チャネル状態情報基準信号リソースの前記第2のセットを少なくとも使用して、前記送信ポイントの少なくともいずれかについて、前記ユーザ機器でなされた測定を記述する情報を含む。
【００９４】
図9は、本明細書の典型的実施形態に更に従う方法の実行の様子、またはコンピュータプログラム命令の実行の結果を描いた論理フロー図である。これら典型的実施形態において、方法は、ブロック9Aにおいて、複数の送信ポイントの各々に割り当てられた、チャネル状態情報基準信号リソースの第1のセット、および、前記複数の送信ポイントの各々に割り当てられた、チャネル状態情報基準信号リソースの第2のセットを記述するシグナリング情報を、ユーザ機器において受信するステップを実行する。ただし前記第1のセットは前記第2のセットより小さい。ブロック9Bは、前記チャネル状態情報基準信号リソースの前記第2のセットを少なくとも使用して、少なくとも1つの送信ポイントについて、測定を行うステップである。ブロック9Cは、前記ユーザ機器からチャネル状態情報レポートを送信するステップである。ここで前記チャネル状態情報レポートは、前記チャネル状態情報基準信号リソースの少なくとも前記第2のセットを使用して、前記送信ポイントの少なくともいずれかについて、前記ユーザ機器でなされた測定を記述する情報を含む。
【００９５】
図8及び9で示す種々のブロックは、方法ステップ、コンピュータプログラムコードの動作から生じる動作、関連する機能を実行するように構成される論理回路要素を複数繋げたものの何れか、または全てと見なされてもよい。
【００９６】
一般に、多くの典型的実施形態は、ハードウェアまたは特定用途向け回路、ソフトウェア、ロジック、またはそれらの組み合わせで実装されうる。例えば、ある場合ではハードウェアで実装されてもよく、一方別の場合では、コントローラやマイクロプロセッサ等のコンピュータデバイスによって実行されるファームウェアやソフトウェアで実装されてもよい。ただし、本発明はこれらに限定されるものではない。本発明の典型的実施形態の種々の側面は、ブロック図、フローチャート、または他の図的記述を使用して記述ないし示され得る。これらのブロック、装置、システム、技術、またはここで記述される方法は、非限定的な例として、ハードウェア、ソフトウェア、ファームウェア、特定用途向け回路やロジック、汎用ハードウェア、コントローラや他のコンピュータデバイス、またはそれらの組み合わせで実装されてもよいと理解されるべきである。 
【００９７】
従って、本発明の典型的実施形態の少なくともある側面は、集積回路チップやモジュール等の種々の要素で実行されてもよい。本発明の典型的実施形態は、集積回路として実装される装置で実現され得ることも認識されるべきである。集積回路または回路は、少なくとも1つ以上のデータプロセッサ、デジタル信号プロセッサやプロセッサ、ベースバンド回路、および本発明の典型的実施形態に従って動作するように構成される無線周波数回路を実装する回路（ファームウェアである可能性もある）を含んでもよい。
【００９８】
上述した本発明の例示的実施形態への種々の修正や変更は、添付図面と併せて上の説明を考慮すれば、本願に関連する技術分野の当業者には明らかになるだろう。そして、如何なる全ての修正変更も本発明の非限定かつ例示的な実施形態の範囲内である。 
【００９９】
例えば、上の実施形態は、UTRAN LTE-Aシステムのコンテキストで説明されてきたが、本発明の典型的実施形態は、この特定の一つのタイプの無線通信システムに限られるわけではなく、他の無線通信システムにおいても、利益をもたらすために使用されうることはもちろんである。
【０１００】
なお、「接続される」や「繋がっている」、またこれらと同様の語句は、直接的または間接的を問わず、二つ又はそれ以上の要素の如何なる接続や組み合わせを表してもよく、これらの要素の間に一つ又は複数の中間要素が存在する場合をも含んでいる。要素間の接続や組み合わせは物理的なものでも論理的なものでもよく、またはこれら両方が入っているものでもよい。本明細書において、二つの要素は、線、ケーブル、プリント基板上の配線や、電磁エネルギーの利用により「接続される」や「繋がっている」となっていると考えられてもよい。この電磁エネルギーは、例えば、無線周波数領域、マイクロ波領域、可視光または非可視光領域等の周波数を有する電磁エネルギーであってもよい。これらの例は非限定的かつ非排他的である。
【０１０１】
さらに、記述されたパラメータについて使用された様々な名称は、如何なる意味においても限定する意図で用いられたものではない。これらのパラメータは適切な如何なる名称によっても識別されることが可能であるだろうからである。さらに、様々なチャネルに割り当てられた様々な名称（例えばPUSCHやPUCCH等）は、如何なる意味においても限定する意図で用いられたものではない。これらのシャネルは適切な如何なる名称によっても識別されることが可能であるだろうからである。
【０１０２】
さらに、本発明の様々な非限定的及び例示的な実施形態は、その他の特徴の対応する使用なしに、利益をもたらすために使用されうる。従って、上述の説明は、本発明の原理や教授、典型的実施形態の説明に過ぎないと考えるべきであり、これらを限定するものであると考えてはならない。
【図１Ａ】
0005796141.tif 000002
【図１Ｂ】
0005796141.tif 000003
【図２】
0005796141.tif 000004
【図３】
0005796141.tif 000005
【図４】
0005796141.tif 000006
【図５】
0005796141.tif 000007
【図６】
0005796141.tif 000008
【図７】
0005796141.tif 000009
【図８】
0005796141.tif 000010
【図９】
0005796141.tif 000011